(57)【特許請求の範囲】
【請求項１】
コンテンツデータを指定する情報を受け付けて入力する入力手段と、  前記入力手段が入力した情報により指定されるコンテンツデータを電子ネットワークから取得する第１の通信制御手段と、
前記電子ネットワークから特定の種類のコンテンツデータを取得する第２の通信制御手段と、
前記第２の通信制御手段が取得した特定の種類のコンテンツデータを記憶する記憶手段と、
コンテンツデータの表示を制御する表示制御手段と、
前記表示制御手段に制御されてコンテンツデータを表示する表示手段と
を備え、
前記第２の通信制御手段は、
前記電子ネットワークから前記特定の種類のコンテンツデータを取得するために必要な情報を予め記憶しており、
起動時に、前記予め記憶している情報に従って前記電子ネットワークから前記特定の種類のコンテンツデータを取得して前記記憶手段に記憶させ、
その後、前記第１の通信制御手段が前記電子ネットワークからのコンテンツデータの取得を行なっていない間に前記特定の種類のコンテンツデータを前記予め与えられている情報に従って前記ネットワークから再度取得して前記記憶手段に記憶させ、
前記第１の通信制御手段は、
前記入力手段が入力した情報により指定されるコンテンツデータを前記電子ネットワークから取得する際に待ち時間が発生した場合に、待ち時間が発生したことを前記表示制御手段へ通知し、
前記入力手段が入力した情報により指定されるコンテンツデータの前記電子ネットワークからの取得が完了した場合に、前記表示制御手段へコンテンツデータの取得が完了したことを通知し、
前記表示制御手段は、
待ち時間が発生したことを前記第１の通信制御手段から通知された場合に、前記第２の通信制御手段が取得して前記記憶手段に予め記憶させてある特定の種類のコンテンツデータを前記記憶手段から出力させて前記表示手段に表示させ、
コンテンツデータの前記電子ネットワークからの取得が完了したことを前記第１の通信制御手段から通知された場合に、前記第１の通信制御手段による前記電子ネットワークからの取得が完了したコンテンツデータを前記表示手段に表示させるべくなしてあること
を特徴とする電子ネットワークにおける情報提示システム。
【請求項２】
コンテンツデータを指定する情報を受け付けて入力する入力手段と、  前記入力手段が入力した情報により指定されるコンテンツデータを電子ネットワークから取得する第１の通信制御手段と、
前記電子ネットワークから特定の種類のコンテンツデータを取得する第２の通信制御手段と、
前記第２の通信制御手段が取得した特定の種類のコンテンツデータを記憶する記憶手段と、
コンテンツデータの表示を制御する表示制御手段と、
前記表示制御手段に制御されてコンテンツデータを表示する表示手段と
を備え、
前記第２の通信制御手段は、
前記電子ネットワークへの最初の接続時に、前記特定の種類のコンテンツデータを取得するために必要な情報を前記電子ネットワークから取得すると共に前記取得した情報に従って前記電子ネットワークから前記特定の種類のコンテンツデータを取得して前記記憶手段に記憶させ、
その後、前記第１の通信制御手段が前記電子ネットワークからのコンテンツデータの取得を行なっていない間に前記特定の種類のコンテンツデータを前記取得した情報に従って前記電子ネットワークから再度取得して前記記憶手段に記憶させ、
前記第１の通信制御手段は、
前記入力手段が入力した情報により指定されるコンテンツデータを前記電子ネットワークから取得する際に待ち時間が発生した場合に、待ち時間が発生したことを前記表示制御手段へ通知し、
前記入力手段が入力した情報により指定されるコンテンツデータの前記電子ネットワークからの取得が完了した場合に、前記表示制御手段へコンテンツデータの取得が完了したことを通知し、
前記表示制御手段は、
待ち時間が発生したことを前記第１の通信制御手段から通知された場合に、前記第２の通信制御手段が取得して前記記憶手段に予め記憶させてある特定の種類のコンテンツデータを前記記憶手段から出力させて前記表示手段に表示させ、
コンテンツデータの前記電子ネットワークからの取得が完了したことを前記第１の通信制御手段から通知された場合に、前記第１の通信制御手段による前記電子ネットワークからの取得が完了したコンテンツデータを前記表示手段に表示させるべくなしてあること
を特徴とする電子ネットワークにおける情報提示システム。
【発明の詳細な説明】
【０００１】
【発明の属する技術分野】
本発明は電子ネットワークにおける情報提示システム、即ち電子ネットワークを介した所謂インターネット等を利用する際に、その個々の情報（コンテンツ）の表示のための技術に関する。
【０００２】
【従来の技術】
近年の電子ネットワークの発展に伴って、インターネットが広く利用されるようになっている。ところで、電子ネットワークにおいては、個々の情報（コンテンツ）のデータは場合によっては地球の裏側から送られてくるため、電気信号の伝播速度そのものには拘らず、途中で経由する種々の中継装置での遅延等に起因して、ユーザが実際に目にすることが可能になるまでには若干の時間を要する場合がある。
【０００３】
このため、従来はユーザはコンテンツデータを実際に見ることが可能になるまでの間は、ただ待っているより他はなかった。従って、ユーザにとっては、コンテンツデータが目に見える状態になるまでの間はまったく無駄に消費されてしまうという問題があった。
【０００４】
このような事情から、上述のような待ち時間を利用して予め用意された特定の種類の情報、たとえば商業広告等を表示するようにして、ユーザに退屈感を与えないようにすることが考えられる。
【０００５】
たとえば、特開平4-13267 号公報には、「記憶媒体に記録されたデータを再生して出力するようなデータ出力装置において、記憶手段に上記記録されたデータのうち待ち時間に表示するデータを予め記憶し、待ち時間検出手段により待ち時間が検出されたときに、上記記憶手段に予め記憶されているデータ (宣伝、広告など) を読み出して出力することにより、例えば信号処理等に時間を要し表示画面にデータが表示されないようなときでも、データを表示することができるため、該信号処理等の待ち時間を短く感じさせることができ、ユーザを退屈させない」としたデータ出力装置と称する発明が開示されている。
【０００６】
但しこの特開平4-13267 号公報に開示されている発明は、CD-ROM等の媒体に記録された情報をユーザの要求に応じて再生する際に、同一の媒体に記録されている特定の種類の情報 (宣伝、広告など) を待ち時間を利用して表示するものであり、近年における電子ネットワークの普及は考慮されていない。
【０００７】
【発明が解決しようとする課題】
ところで上述の特開平4-13267 号公報に開示されているデータ出力装置の発明では、特定の種類の情報 (宣伝、広告など) は電子ネットワーク上に存在するのではなく、記憶媒体上に存在することになっている。従って、特定の種類の情報 (宣伝、広告など) の内容が記憶媒体上に記録された日時に制限されることは言うまでもなく、ユーザにとっては同一内容の比較的古い情報を反復して見せられることになる。
【０００８】
本発明はこのような事情に鑑みてなされたものであり、電子ネットワーク上から逐次最新の内容の特定の種類のコンテンツデータをダウンロードして表示することにより、ユーザが常時最新のコンテンツデータを見ることが可能な電子ネットワークにおける情報提示システムの提供を目的とする。
【０００９】
【課題を解決するための手段】
本発明に係る電子ネットワークにおける情報提示システムは、コンテンツデータを指定する情報を受け付けて入力する入力手段と、入力手段が入力した情報により指定されるコンテンツデータを電子ネットワークから取得する第１の通信制御手段と、電子ネットワークから特定の種類のコンテンツデータを取得する第２の通信制御手段と、第２の通信制御手段が取得した特定の種類のコンテンツデータを記憶する記憶手段と、コンテンツデータの表示を制御する表示制御手段と、表示制御手段に制御されてコンテンツデータを表示する表示手段とを備え、第２の通信制御手段は、電子ネットワークから特定の種類のコンテンツデータを取得するために必要な情報を予め記憶しており、起動時に、予め記憶している情報に従って電子ネットワークから特定の種類のコンテンツデータを取得して記憶手段に記憶させ、その後、第１の通信制御手段が電子ネットワークからのコンテンツデータの取得を行なっていない間に特定の種類のコンテンツデータを予め与えられている情報に従ってネットワークから再度取得して記憶手段に記憶させ、第１の通信制御手段は、入力手段が入力した情報により指定されるコンテンツデータを電子ネットワークから取得する際に待ち時間が発生した場合に、待ち時間が発生したことを表示制御手段へ通知し、入力手段が入力した情報により指定されるコンテンツデータの電子ネットワークからの取得が完了した場合に、表示制御手段へコンテンツデータの取得が完了したことを通知し、表示制御手段は、待ち時間が発生したことを第１の通信制御手段から通知された場合に、第２の通信制御手段が取得して記憶手段に予め記憶させてある特定の種類のコンテンツデータを記憶手段から出力させて表示手段に表示させ、コンテンツデータの電子ネットワークからの取得が完了したことを第１の通信制御手段から通知された場合に、第１の通信制御手段による電子ネットワークからの取得が完了したコンテンツデータを表示手段に表示させるべくなしてあることを特徴とする。
【００１０】
このような本発明の電子ネットワークにおける情報提示システムでは、入力手段が入力した情報により指定されるコンテンツデータを第１の通信制御手段が電子ネットワークから取得する際に待ち時間が発生した場合には、待ち時間が解消されるまでの間は記憶手段に予め記憶されている特定の種類のコンテンツデータが表示手段に表示される。そして、特定の種類のコンテンツデータが予め与えられている情報に従って起動時にネットワークから第２の通信制御手段によって取得されて記憶手段に記憶され、その後は記憶手段が記憶している情報に従って特定の種類のコンテンツデータが所定のタイミングにおいてネットワークから第２の通信制御手段によって反復して取得されて記憶手段の記憶内容が更新されるため、常時最新の特定の種類のコンテンツデータが記憶手段に蓄積される。
【００１３】
また本発明の電子ネットワークにおける情報提示システムは、コンテンツデータを指定する情報を受け付けて入力する入力手段と、入力手段が入力した情報により指定されるコンテンツデータを電子ネットワークから取得する第１の通信制御手段と、電子ネットワークから特定の種類のコンテンツデータを取得する第２の通信制御手段と、第２の通信制御手段が取得した特定の種類のコンテンツデータを記憶する記憶手段と、コンテンツデータの表示を制御する表示制御手段と、表示制御手段に制御されてコンテンツデータを表示する表示手段とを備え、第２の通信制御手段は、電子ネットワークへの最初の接続時に、特定の種類のコンテンツデータを取得するために必要な情報を電子ネットワークから取得すると共に取得した情報に従って電子ネットワークから特定の種類のコンテンツデータを取得して記憶手段に記憶させ、その後、第１の通信制御手段が電子ネットワークからのコンテンツデータの取得を行なっていない間に特定の種類のコンテンツデータを取得した情報に従って電子ネットワークから再度取得して記憶手段に記憶させ、第１の通信制御手段は、入力手段が入力した情報により指定されるコンテンツデータを電子ネットワークから取得する際に待ち時間が発生した場合に、待ち時間が発生したことを表示制御手段へ通知し、入力手段が入力した情報により指定されるコンテンツデータの電子ネットワークからの取得が完了した場合に、表示制御手段へコンテンツデータの取得が完了したことを通知し、表示制御手段は、待ち時間が発生したことを第１の通信制御手段から通知された場合に、第２の通信制御手段が取得して記憶手段に予め記憶させてある特定の種類のコンテンツデータを記憶手段から出力させて表示手段に表示させ、コンテンツデータの電子ネットワークからの取得が完了したことを第１の通信制御手段から通知された場合に、第１の通信制御手段による電子ネットワークからの取得が完了したコンテンツデータを表示手段に表示させるべくなしてあることを特徴とする。
【００１４】
このような本発明の電子ネットワークにおける情報提示システムでは、入力手段が入力した情報により指定されるコンテンツデータを第１の通信制御手段が電子ネットワークから取得する際に待ち時間が発生した場合には、待ち時間が解消されるまでの間は記憶手段に予め記憶されている特定の種類のコンテンツデータが表示手段に表示される。そして、電子ネットワークへの最初の接続時に特定の種類のコンテンツデータを取得するための情報がネットワークから第２の通信制御手段によって取得されて記憶手段に記憶されると共にその情報に従って特定の種類のコンテンツデータがネットワークから第２の通信制御手段によって取得されて記憶手段に記憶され、その後は記憶手段が記憶している情報に従って特定の種類のコンテンツデータが所定のタイミングにおいてネットワークから第２の通信制御手段によって反復して取得されて記憶手段の記憶内容が更新されるため、常時最新の特定の種類のコンテンツデータが記憶手段に蓄積される。
【００１５】
【発明の実施の形態】
以下、本発明をその実施の形態を示す図面に基づいて詳述する。図１は本発明に係る電子ネットワークにおける情報提示システムの基本的な構成例を示す機能ブロック図である。
【００１６】
図１において、参照符号１は本発明の電子ネットワークにおける情報提示システムとしてのユーザ端末装置を示しており、具体的にはWWW(World Wide Web) ブラウザをインストールしたパーソナルコンピュータにより実現される。
【００１７】
このユーザ端末装置１には、第１の通信制御手段である通信制御部11, 表示制御手段である表示制御部12, 第２の通信制御手段である広告取得部13, 入力手段であるユーザインタフェイス部14, 表示手段であるモニタ15, 特定の種類のコンテンツデータとしての広告データを記憶する記憶手段である広告データ記憶部16等がソフトウェア的及び／又はハードウェア的機能として備えられている。通信制御部11は電子ネットワーク（以下、単にネットワークと言う) NWと接続しており、広告データベース２を含む各種の広告データベース，他の端末装置３，４等との間で所謂インターネット通信を行なうことが可能になっている。
【００１８】
表示制御部12はこの通信制御部11及び後述する広告取得部13によりネットワークNWから取得されたコンテンツデータのモニタ15への表示制御を司る。但し、その際の手順が本発明を特徴付けているため、詳細は後述する。
【００１９】
広告取得部13はネットワークNWから所定の適宜のタイミングで広告のコンテンツデータを取得し、広告データ記憶部16に一旦記憶させる。また、この広告取得部13によりネットワークNWから取得されて広告データ記憶部16に記憶されている広告のコンテンツデータが表示制御部12の制御により特定のタイミングにおいてモニタ15に表示される。
【００２０】
ユーザインタフェイス部14はユーザがこのユーザ端末装置１を操作するためのインタフェイスであり、具体的にはキーボード，マウス，パッド等のハードウェアをユーザが操作することにより、たとえばモニタ15に表示されたGUI(Guraphical User Interface)画面上で種々の指示を受け付ける。
【００２１】
参照符号２は広告データベースであり、ネットワークNWに接続されていて広告のコンテンツデータ（以下、広告データと言う）を専門にデータベース化して蓄積している。この広告データベース２はたとえば所謂インターネットのプロバイダによって管理されたり、または専門の業者によって管理されたり、あるいは個人によって管理されてもよい。但し、その内容に関しては、公序良俗に反しないことが条件である。なお端末装置３，４等にも種々の広告データが保持されていてもよいことは言うまでもない。たとえば、端末装置３，４等が企業が運営する社内ネットワークのサーバであるような場合には、それ自体に自社の広告データを保持させておくことも可能である。
【００２２】
このような本発明のシステムの動作は以下のようになる。表示制御部12によりモニタ15には上述の GUI画面が表示されているので、通常はユーザはユーザインタフェイス部14を操作してコンテンツデータの取得を指示する。これに応じて、通信制御部11はネットワークNWを介して他の端末装置３，４等からコンテンツデータを取得し、表示制御部12に渡す。表示制御部12は通信制御部11から渡されたコンテンツデータをモニタ15に表示する。
【００２３】
ところで、上述のようなコンテンツデータの表示のための通常の処理が行なわれている間に、広告取得部13は適宜のタイミングを見計らってネットワークNWを介して広告データベース２，端末装置３，４等から広告データを取得し広告データ記憶部16に記憶させる。なお、広告データベース２，端末装置３，４等に蓄積されている広告データは、それの管理者により常時最新の内容に更新されているものとする。
【００２４】
このようにして広告データ記憶部16に広告情報が記憶されている場合には、通信制御部11がネットワークNWからコンテンツデータを取得する処理を行なっている間に待ち時間が生じると、通信制御部11は表示制御部12に対して待ち時間の発生を通知する。これに応じて、表示制御部12は広告取得部13に対して広告データの送付を要求し、広告取得部13は表示制御部12からの要求に応じて既に広告データ記憶部16に記憶されている広告データを表示制御部12へ送る。表示制御部12はこの広告取得部13から送られてきた広告データをモニタ15に表示する。
【００２５】
このようにしてモニタ15に広告データが表示されるが、このような広告データのモニタ15への表示は原則として上述した如く、ユーザが本来要求しているコンテンツデータの取得のために生じる待ち時間においてのみ行なわれる。具体的には、通信制御部11がユーザが要求したコンテンツデータの取得が完了した場合には表示制御部12に対して待ち時間が解消されたことを通知する。この通知を受けると表示制御部12はネットワークNWから取得したコンテンツデータの送付を通信制御部11に対して要求するので、通信制御部11からコンテンツデータが表示制御部12へ送られ、表示制御部12はそれをモニタ15に表示する。これにより、それまでモニタ15に表示されていた広告データがユーザが要求したコンテンツデータに切り替わる。
【００２６】
なお、広告データ記憶部16は広告取得部13によりネットワークNWを介して広告データベース２からダウンロードされた広告データを複数記憶可能な容量を有している場合には、広告取得部13は表示制御部12からの広告データの送付の要求に対して、広告データ記憶部16に記憶されている順序またはランダムな順序をその都度選択することが可能になる。
【００２７】
なお、以前にモニタ15に表示された広告データに関して、ユーザが再度それを見たい場合には、モニタ15に表示されている GUI画面上の特定のアイコンをユーザインタフェイス部14により指定する等の操作を行なうことにより、表示制御部12が指定された広告データを送付するように広告取得部13に要求すれば、広告取得部13は当該広告データを広告データ記憶部16から読み出して表示制御部12へ送付する。これにより、モニタ15にはユーザが指定した広告データが表示されることになるので、ユーザは自身が希望する広告データを任意のタイミングで見ることが可能になる。
【００２８】
図２は上述のような本発明のシステムによるモニタ15への表示例を示す模式図である。いまたとえば、図２(a) に示されているように、モニタ15の画面のメインウィンドウ150 にユーザが要求したあるコンテンツＡの表示を要求してそのコンテンツデータがネットワークNWを介して取得されて表示されているとする。この状態において、ユーザが他のコンテンツＢの表示を新たに要求したとすると、そのコンテンツデータが取得されて表示されるまでの待ち時間において図２(b) に示されているように、広告データ記憶部16から一つの広告データが読み出され、または複数の広告データが順次的に読み出されてメインウィンドウ150 に表示される。
【００２９】
なおこの広告がモニタ15に表示されている間には、サブウィンドウ151 に「中止」のボタンが表示される。この「中止」のボタンはユーザがその時点で要求している新たなコンテンツＢのコンテンツデータの取得を中止したくなった場合に利用する。
【００３０】
やがて、ユーザが新たに要求したコンテンツＢのコンテンツデータが取得されると、図２(c) に示されているように、それまで広告が表示されていたモニタ15のメインウィンドウ150 にコンテンツＢが表示され、サブウィンドウ151 の「中止」のボタンは表示されなくなる。
【００３１】
また、図３に示されているような表示を行なうことも可能である。いまたとえば、図３(a) に示されているように、モニタ15の画面のメインウィンドウ150 にユーザが要求したあるコンテンツＡの表示を要求してそのコンテンツデータがネットワークNWを介して取得されて表示されているとする。この状態において、広告データ記憶部16から一つの広告データが読み出され、または複数の広告データが順次的に読み出されてサブウィンドウ151 に広告が小さく表示されている。そして、ユーザが他のコンテンツＢの表示を新たに要求したとすると、そのコンテンツデータが取得されて表示されるまでの待ち時間において図３(b) に示されているように、メインウィンドウ150 に広告が表示される。
【００３２】
なお、この広告がモニタ15に表示されている間には、サブウィンドウ151 に「中止」のボタンが表示されることは上述の図２に示されている表示例と同様である。
【００３３】
やがて、ユーザが新たに要求したコンテンツＢのコンテンツデータが取得されると、図３(c) に示されているように、それまで広告が表示されていたモニタ15のメインウィンドウ150 にコンテンツＢが表示され、サブウィンドウ151 には「中止」のボタンに代わって広告が小さく表示される。
【００３４】
ところで、広告取得部13がネットワークNWから広告データを取得する手法として、以下にいくつかの例を説明する。
【００３５】
まず第１の手法は、本発明のシステム内、具体的にはパーソナルコンピュータであるユーザ端末装置１のたとえば環境設定ファイルに広告データのアドレスが記憶されている場合である。この場合、広告取得部13は図４のフローチャートに示されているようにして広告データを取得し、表示する。
【００３６】
ユーザ端末装置１に本発明システムを実現するためのソフトウェアがインストールされる際に (ステップS11)、その環境設定ファイルに広告データのアドレスが書き込まれる (ステップS12)。そしてユーザ端末装置１が起動すると、広告取得部13は直ちに環境設定ファイルの内容に従って広告データのアドレスをアクセスする (ステップS13)。この際の広告データのアクセス先としては、図１に示されている広告データベース２であってもよいし、個々の端末装置３，４等であってもよい。そして、このようにして広告取得部13が取得した広告データは広告データ記憶部16に記憶され、蓄積される (ステップS14)。
【００３７】
以上のようにして広告データ記憶部16に広告データが蓄積された後は、適宜のタイミング、たとえばユーザ端末装置１がアイドル状態であるような場合に (ステップS15 で”YES ”) 、広告取得部13は環境設定ファイルの内容に従って広告データのアドレスをアクセスする上述のステップS13 の処理を行なうことにより、常時最新の広告データが広告データ記憶部16に蓄積される。なお、上述のユーザ端末装置１のアイドル状態とは、たとえばユーザによるユーザインタフェイス部14の操作及び通信制御部11によるネットワークNWのアクセスも行なわれないままに所定時間 (たとえば１分間) が経過したような場合のことである。
【００３８】
ユーザ端末装置１がアイドル状態でない場合、具体的にはユーザがユーザインタフェイス部14を操作してあるコンテンツデータの取得を要求した場合、通信制御部11はその要求に応じてネットワークNWにアクセスしてコンテンツデータの取得を行なう (ステップS16)。この際、実際にコンテンツデータが取得されるまでに待ち時間があると表示制御部12が判断した場合に (ステップS17 で”YES ”) 、表示制御部12からの指示により広告取得部13が広告データ記憶部16から広告データを読み出して表示制御部12に渡すことにより、その広告データがモニタ15に表示される (ステップS18)。
【００３９】
一方、上述のステップS17 において待ち時間が無いと表示制御部12が判断した場合には (ステップS17 で”NO”) 、表示制御部12は通信制御部11がネットワークNWを介して取得したコンテンツデータをそのままモニタ15に表示する (ステップS19)。
【００４０】
第２の手法は、インターネットのプロバイダ側で広告データのアドレスリストを用意している場合である。但し、アドレスリストに対応する広告データはプロバイダが自身で保持していてもよいし、広告データそのものは他の端末, データベース等に保持されていてもよい。この場合、広告取得部13は図５のフローチャートに示されているようにして広告データを取得し、表示する。
【００４１】
ユーザ端末装置１が最初にネットワークNWにアクセスする際に (ステップS31)、広告取得部13がプロバイダから広告データのアドレスリストを取得し (ステップS32)、直ちにアドレスリストの内容に従って広告データのアドレスをアクセスする (ステップS33)。この際の広告データのアドレス先としては、図１に示されている広告データベース２であってもよいし、個々の端末装置３，４等であってもよい。そして、このようにして広告取得部13が取得した広告データは広告データ記憶部16に記憶され、蓄積される (ステップS34)。
【００４２】
以上のようにして広告データ記憶部16に広告データが蓄積された後は、適宜のタイミング、たとえばユーザ端末装置１がアイドル状態であるような場合に (ステップS35 で”YES ”) 、広告取得部13はアドレスリストをプロバイダから再度取得してその内容に従って広告データのアドレスをアクセスする上述のステップS32, S33の処理を行なうことにより、常時最新の広告データを広告データ記憶部16に蓄積する。
【００４３】
ユーザ端末装置１がアイドル状態でない場合、具体的にはユーザがユーザインタフェイス部14を操作してあるコンテンツデータの取得を要求した場合、通信制御部11はその要求に応じてネットワークNWをアクセスしてコンテンツデータの取得を行なう (ステップS36)。この際、実際にコンテンツデータが取得されるまでに待ち時間があると表示制御部12が判断した場合に (ステップS37 で”YES ”) 、表示制御部12からの指示により広告取得部13が広告データ記憶部16から広告データを読み出して表示制御部12に渡すことにより、その広告データがモニタ15に表示される (ステップS38)。
【００４４】
一方、上述のステップS37 において待ち時間が無いと表示制御部12が判断した場合には (ステップS37 で”NO”) 、表示制御部12は通信制御部11がネットワークNWを介して取得したコンテンツデータをそのままモニタ15に表示する (ステップS39)。
【００４５】
上述の実施の形態においては、特定の種類のコンテンツデータとしては広告データを例示したが、これは一例であって、たとえばユーザの好みに応じて種々の種類のデータを利用可能なようにしてもよい。また、広告データの種類そのものもユーザがたとえば自動車関係, コンピュータ関係等のようにジャンルを指定出来るようにすることも可能である。
【００４６】
【発明の効果】
以上に詳述したように本発明に係る電子ネットワークにおける情報提示システムによれば、入力手段が入力した情報により指定されたコンテンツデータが電子ネットワークから取得される際に待ち時間が発生した場合には、待ち時間が解消されるまでの間は記憶手段に予め記憶されている特定の種類のコンテンツデータが表示手段に表示されるので、ユーザを退屈させることがなくなる。
【００４７】
また本発明に係る電子ネットワークにおける情報提示システムによれば、特定の種類のコンテンツデータ (たとえば広告のコンテンツデータ) が予め与えられている情報に従って所定のタイミングにおいてネットワークから第２の通信制御部によって反復して取得されるため、常時最新の特定の種類のコンテンツデータ (たとえば広告のコンテンツデータ) をユーザに見せることが可能になる。
【００４８】
更に本発明に係る電子ネットワークにおける情報提示システムによれば、特定の種類のコンテンツデータ (たとえば広告のコンテンツデータ) が電子ネットワークへの最初の接続時にネットワークから取得した情報に従って所定のタイミングにおいてネットワークから第２の通信制御部によって反復して取得されるため、常時最新の特定の種類のコンテンツデータ (たとえば広告のコンテンツデータ) をユーザに見せることが可能になる。
【図面の簡単な説明】
【図１】本発明に係る電子ネットワークにおける情報提示システムの基本的な構成例を示す機能ブロック図である。
【図２】本発明に係る電子ネットワークにおける情報提示システムによる表示例を示す模式図である。
【図３】本発明に係る電子ネットワークにおける情報提示システムによる表示例を示す模式図である。
【図４】本発明に係る電子ネットワークにおける情報提示システムのネットワークから広告データを取得し、表示する手順を示すフローチャートである。
【図５】本発明に係る電子ネットワークにおける情報提示システムのネットワークから広告データを取得し、表示する手順を示すフローチャートである。
【符号の説明】
１    ユーザ端末装置
２    広告データベース
３    端末装置
11    通信制御部
12    表示制御部
13    広告取得部
14    ユーザインタフェイス部
15    モニタ
NW    ネットワーク
【図１】
0003801297.tif 000002
【図２】
0003801297.tif 000003
【図３】
0003801297.tif 000004
【図４】
0003801297.tif 000005
【図５】
0003801297.tif 000006